(57)【要約】【課題】  筐体の奥行きや高さが制約された状態で、各ユニットを筐体に収容することを可能とする投写型映像表示装置を提供する。【解決手段】  投写型映像表示装置１００は、複数の固体光源１１１によって構成される光源ユニット１１０と、複数の固体光源１１１から出射される光を変調するＤＭＤ５００と、ＤＭＤ５００から出射される光を投写面上に投写する投写ユニット１５０と、複数の固体光源１１１を冷却する冷却ユニット１３０とを収容する筐体２００を備える。奥行き方向における筐体２００のサイズは、幅方向における筐体２００のサイズよりも小さい。投写ユニット１５０は、筐体２００の幅方向において、筐体２００の略中央に配置される。光源ユニット１１０及び冷却ユニット１３０は、投写面に平行な水平方向において、投写ユニット１５０と並んで配置される。【選択図】  図３
2010250274.tif 000002
【特許請求の範囲】
【請求項１】
複数の固体光源によって構成される光源ユニットと、前記複数の固体光源から出射される光を変調する光変調素子と、前記光変調素子から出射される光を投写面上に投写する投写ユニットと、前記複数の固体光源を冷却する冷却ユニットとを収容する筐体を備える投写型映像表示装置であって、
前記投写面の法線方向における前記筐体のサイズは、前記投写面に平行な水平方向における前記筐体のサイズよりも小さく、
前記投写ユニットは、前記投写面に平行な水平方向において、前記筐体の略中央に配置されることを特徴とする投写型映像表示装置。
【請求項２】
前記光源ユニット及び前記冷却ユニットは、前記投写面に平行な水平方向において、前記投写ユニットと並んで配置されることを特徴とする請求項１に記載の投写型映像表示装置。
【請求項３】
前記光源ユニットは、前記投写面に平行な水平方向において、前記投写ユニットの一方に並んで配置されており、
前記冷却ユニットは、前記投写面に平行な水平方向において、前記投写ユニットの他方に並んで配置されることを特徴とする請求項２に記載の投写型映像表示装置。
【請求項４】
前記光源ユニットに電力を供給する電源ユニットをさらに備え、
前記電源ユニットは、前記投写面に平行な水平方向において、前記投写ユニットに対して前記光源ユニット側に並んで配置されることを特徴とする請求項２に記載の投写型映像表示装置。
【請求項５】
前記光源ユニットは、前記投写面の法線方向において、前記冷却ユニットよりも前記投写面側に設けられることを特徴とする請求項１に記載の投写型映像表示装置。
【請求項６】
前記光源ユニットは、複数の光源ユニットによって構成されており、
前記複数の光源ユニットは、前記投写面に平行な水平方向において、前記投写ユニットの両側に設けられることを特徴とする請求項２に記載の投写型映像表示装置。
【請求項７】
前記冷却ユニットは、複数の冷却ユニットによって構成されており、
前記複数の冷却ユニットは、前記投写面に平行な水平方向において、前記投写ユニットの両側に設けられることを特徴とする請求項２に記載の投写型映像表示装置。
【請求項８】
前記電源ユニットは、複数の電源ユニットによって構成されており、
前記複数の電源ユニットは、前記投写面に平行な水平方向において、前記投写ユニットの両側に設けられることを特徴とする請求項４に記載の投写型映像表示装置。
【発明の詳細な説明】
【技術分野】
【０００１】
本発明は、複数の固体光源によって構成される光源ユニットと、複数の固体光源から出射される光を変調する光変調素子と、光変調素子から出射される光を投写面上に投写する投写ユニットとを備える投写型映像表示装置に関する。
【背景技術】
【０００２】
近年、レーザ光源などの固体光源と、固体光源から出射された光を変調する光変調素子と、光変調素子から出射された光を投写面上に投写する投写ユニットとを有する投写型映像表示装置が知られている。
【０００３】
ここで、投写面上に映像を大きく表示するためには、投写ユニットと投写面との距離を長くとる必要がある。これに対して、投写ユニットから出射される光を投写面側に反射する反射ミラーを利用して、投写ユニットと投写面との距離の短縮を図った投写型表示システムが提案されている（例えば、特許文献１）。
【先行技術文献】
【特許文献】
【０００４】
【特許文献１】特開２００６−２３５５１６号公報
【発明の概要】
【発明が解決しようとする課題】
【０００５】
ところで、投写ユニットと投写面との距離の短縮を図る投写型映像表示装置の利用方法として、投写型映像表示装置の筐体を床面及び壁面に沿って配置する利用方法が考えられる。
【０００６】
このようなケースにおいて、投写面の法線方向における筐体のサイズ（以下、投写方向サイズ）を小さくすることが好ましい。また、投写面を壁面に設けるケースでは、床面から投写面までの距離を適切にしようとすると、床面の法線方向における筐体のサイズ（筐体の高さ）が制約される。また、投写面を床面に設けるケースでは、壁面から投写面までの距離を適切にしようとすると、壁面の法線方向における筐体のサイズ（筐体の奥行き）が制約される。
【０００７】
このように、床面及び壁面などの２つの配置面に沿って投写型映像表示装置の筐体を配置するケースでは、２つの配置面の法線方向における筐体のサイズ（筐体の奥行きや高さ）が制約される。
【０００８】
一方で、投写型映像表示装置は、必要光量を確保するために、複数の固体光源によって構成される光源ユニットを有しており、複数の固体光源を冷却する冷却ユニットなども有している。
【０００９】
従って、筐体の奥行きや高さが制約された状態で、各ユニットを筐体に収容するためには、筐体に収容される各ユニット（投写ユニット、光源ユニット及び冷却ユニットなど）の配置関係を工夫しなければならない。
【００１０】
そこで、本発明は、上述した課題を解決するためになされたものであり、筐体の奥行きや高さが制約された状態で、各ユニットを筐体に収容することを可能とする投写型映像表示装置を提供することを目的とする。
【課題を解決するための手段】
【００１１】
第１の特徴に係る投写型映像表示装置は、複数の固体光源（赤固体光源１１１Ｒ、緑固体光源１１１Ｇ、青固体光源１１１Ｂ）によって構成される光源ユニット（光源ユニット１１０）と、前記複数の固体光源から出射される光を変調する光変調素子（ＤＭＤ５００Ｒ、ＤＭＤ５００Ｇ、ＤＭＤ５００Ｂ）と、前記光変調素子から出射される光を投写面上に投写する投写ユニット（投写ユニット１５０）と、前記複数の固体光源を冷却する冷却ユニット（冷却ユニット１３０）とを収容する筐体（筐体２００）を備える。前記投写面の法線方向における前記筐体のサイズは、前記投写面に平行な水平方向における前記筐体のサイズよりも小さい。前記投写ユニットは、前記投写面に平行な水平方向において、前記筐体の略中央に配置される。
【００１２】
第１の特徴において、前記光源ユニット及び前記冷却ユニットは、前記投写面に平行な水平方向において、前記投写ユニットと並んで配置される。
【００１３】
第１の特徴において、前記光源ユニットは、前記投写面に平行な水平方向において、前記投写ユニットの一方に並んで配置される。前記冷却ユニットは、前記投写面に平行な水平方向において、前記投写ユニットの他方に並んで配置される。
【００１４】
第１の特徴において、投写型映像表示装置は、前記光源ユニットに電力を供給する電源ユニットをさらに備える。前記電源ユニットは、前記投写面に平行な水平方向において、前記投写ユニットに対して前記光源ユニット側に並んで配置される。
【００１５】
第１の特徴において、前記光源ユニットは、前記投写面の法線方向において、前記冷却ユニットよりも前記投写面側に設けられる。
【００１６】
第１の特徴において、前記光源ユニットは、複数の光源ユニットによって構成される。前記複数の光源ユニットは、前記投写面に平行な水平方向において、前記投写ユニットの両側に設けられる。
【００１７】
第１の特徴において、前記冷却ユニットは、複数の冷却ユニットによって構成される。前記複数の冷却ユニットは、前記投写面に平行な水平方向において、前記投写ユニットの両側に設けられる。
【００１８】
第１の特徴において、前記電源ユニットは、複数の電源ユニットによって構成される。前記複数の電源ユニットは、前記投写面に平行な水平方向において、前記投写ユニットの両側に設けられる。
【発明の効果】
【００１９】
本発明によれば、筐体の奥行きや高さが制約された状態で、各ユニットを筐体に収容することを可能とする投写型映像表示装置を提供することができる。
【図面の簡単な説明】
【００２０】
【図１】第１実施形態に係る投写型映像表示装置１００を示す斜視図である。
【図２】第１実施形態に係る投写型映像表示装置１００を側方から見た図である。
【図３】第１実施形態に係る投写型映像表示装置１００を上方から見た図である。
【図４】第１実施形態に係る光源ユニット１１０を示す図である。
【図５】第１実施形態に係る色分離合成ユニット１４０及び投写ユニット１５０を示す図である。
【図６】変更例１に係る投写型映像表示装置１００を上方から見た図である。
【図７】変更例２に係る投写型映像表示装置１００を上方から見た図である。
【図８】変更例３に係る投写型映像表示装置１００を上方から見た図である。
【図９】第２実施形態に係る投写型映像表示装置１００を側方から見た図である。
【図１０】第３実施形態に係る配置例を示す図である。
【図１１】第３実施形態に係る配置例を示す図である。
【図１２】第３実施形態に係る配置例を示す図である。
【図１３】第３実施形態に係る配置例を示す図である。
【図１４】第３実施形態に係る配置例を示す図である。
【図１５】第３実施形態に係る配置例を示す図である。
【図１６】第３実施形態に係る配置例を示す図である。
【発明を実施するための形態】
【００２１】
以下において、本発明の実施形態に係る投写型映像表示装置について、図面を参照しながら説明する。なお、以下の図面の記載において、同一又は類似の部分には、同一又は類似の符号を付している。
【００２２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２３】
［実施形態の概要］
実施形態に係る投写型映像表示装置は、複数の固体光源によって構成される光源ユニットと、複数の固体光源から出射される光を変調する光変調素子と、光変調素子から出射される光を投写面上に投写する投写ユニットと、複数の固体光源を冷却する冷却ユニットとを収容する筐体を備える。投写面の法線方向における筐体のサイズは、投写面に平行な水平方向における筐体のサイズよりも小さい。投写ユニットは、投写面に平行な水平方向において、筐体の略中央に配置される。光源ユニット及び冷却ユニットは、投写面に平行な水平方向において、投写ユニットと並んで配置される。
【００２４】
実施形態では、光源ユニット及び冷却ユニットは、投写面に平行な水平方向において、投写ユニットと並んで配置されるため、筐体の奥行きや高さが制約された状態で、各ユニットを筐体に収容することができる。
【００２５】
実施形態では、投写ユニットは、投写面に平行な水平方向において、筐体の略中央に配置されるため、投写面に平行な水平方向において、筐体の幅が投写面の幅と略等しいケースにおいて、投写面上に映像をバランスよく投写することができる。また、台形補正等の信号処理負荷を軽減しながら、投写面上に投写される映像の歪みを抑制することができる。
【００２６】
［第１実施形態］
（投写型映像表示装置の構成）
以下において、第１実施形態に係る投写型映像表示装置の構成について、図面を参照しながら説明する。図１は、第１実施形態に係る投写型映像表示装置１００を示す斜視図である。図２は、第１実施形態に係る投写型映像表示装置１００を側方から見た図である。
【００２７】
図１及び図２に示すように、投写型映像表示装置１００は、筐体２００を有しており、投写面３００に映像を投写する。投写型映像表示装置１００は、第１配置面（図２に示す壁面４２０）と第１配置面に略垂直な第２配置面（図２に示す床面４１０）とに沿って配置される。
【００２８】
ここで、第１実施形態では、投写型映像表示装置１００が壁面に設けられた投写面３００に映像光を投写するケースについて例示する（壁面投写）。このようなケースにおける筐体２００の配置を壁面投写配置と称する。第１実施形態では、投写面３００と略平行な第１配置面は壁面４２０である。
【００２９】
第１実施形態では、投写面３００に平行な水平方向を“幅方向”と称する。投写面３００の法線方向を“奥行き方向”と称する。幅方向及び奥行き方向の双方に直交する方向を“高さ方向”と称する。
【００３０】
筐体２００は、略直方体形状を有する。奥行き方向における筐体２００のサイズ及び高さ方向における筐体２００のサイズは、幅方向における筐体２００のサイズよりも小さい。奥行き方向における筐体２００のサイズは、反射ミラー（図２に示す凹面ミラー１５２）から投写面３００までの投写距離と略等しい。幅方向において、筐体２００のサイズは、投写面３００のサイズと略等しい。高さ方向において、筐体２００のサイズは、投写面３００が設けられる位置に応じて定められる。
【００３１】
具体的には、筐体２００は、投写面側側壁２１０と、前面側側壁２２０と、底面板２３０と、天板２４０と、第１側面側側壁２５０と、第２側面側側壁２６０とを有する。
【００３２】
投写面側側壁２１０は、投写面３００と略平行な第１配置面（第１実施形態では、壁面４２０）と対向する板状の部材である。前面側側壁２２０は、投写面側側壁２１０の反対側に設けられた板状の部材である。底面板２３０は、投写面３００と略平行な第１配置面以外の第２配置面（第１実施形態では、床面４１０）と対向する板状の部材である。天板２４０は、底面板２３０の反対側に設けられた板状の部材である。第１側面側側壁２５０及び第２側面側側壁２６０は、幅方向において筐体２００の両端を形成する板状の部材である。
【００３３】
筐体２００は、光源ユニット１１０と、電源ユニット１２０と、冷却ユニット１３０と、色分離合成ユニット１４０と、投写ユニット１５０とを収容する。投写面側側壁２１０は、投写面側凹部１６０Ａ及び投写面側凹部１６０Ｂを有する。前面側側壁２２０は、前面側凸部１７０を有する。天板２４０は、天板凹部１８０を有する。第１側面側側壁２５０は、ケーブル端子１９０を有する。
【００３４】
光源ユニット１１０は、複数の固体光源（図４に示す固体光源１１１）によって構成されるユニットである。各固体光源は、ＬＤ（Ｌａｓｅｒ  Ｄｉｏｄｅ）などの光源である。第１実施形態では、光源ユニット１１０には、赤成分光Ｒを出射する赤固体光源（図４に示す赤固体光源１１１Ｒ）、緑成分光Ｇを出射する緑固体光源（図４に示す緑固体光源１１１Ｇ）、青成分光Ｂを出射する青固体光源（図４に示す青固体光源１１１Ｂ）を有する。光源ユニット１１０の詳細については後述する（図４を参照）。
【００３５】
電源ユニット１２０は、投写型映像表示装置１００に電力を供給するユニットである。例えば、電源ユニット１２０は、光源ユニット１１０及び冷却ユニット１３０に電力を供給する。
【００３６】
冷却ユニット１３０は、光源ユニット１１０に設けられた複数の固体光源を冷却するユニットである。具体的には、冷却ユニット１３０は、各固体光源を載置する冷却ジャケット（図４に示す冷却ジャケット１３１）を冷却することによって、各固体光源を冷却する。
【００３７】
なお、冷却ユニット１３０は、各固体光源以外にも、電源ユニット１２０や光変調素子（後述するＤＭＤ５００）を冷却するように構成されている。
【００３８】
色分離合成ユニット１４０は、赤固体光源から出射された赤成分光Ｒ、緑固体光源から出射された緑成分光Ｇ、青固体光源から出射された青成分光Ｂを合成する。また、色分離合成ユニット１４０は、赤成分光Ｒ、緑成分光Ｇ及び青成分光Ｂを含む合成光を分離して、赤成分光Ｒ、緑成分光Ｇ及び青成分光Ｂを変調する。さらに、色分離合成ユニット１４０は、赤成分光Ｒ、緑成分光Ｇ及び青成分光Ｂを再合成して、映像光を投写ユニット１５０に出射する。色分離合成ユニット１４０の詳細については後述する（図５を参照）
投写ユニット１５０は、色分離合成ユニット１４０から出射された光（映像光）を投写面３００に投写する。具体的には、投写ユニット１５０は、色分離合成ユニット１４０から出射された光を投写面３００上に投写する投写レンズ群（図５に示す投写レンズ群１５１）と、投写レンズ群から出射された光を投写面３００側に反射する反射ミラー（図５に示す凹面ミラー１５２）とを有する。投写ユニット１５０の詳細については後述する。
【００３９】
投写面側凹部１６０Ａ及び投写面側凹部１６０Ｂは、投写面側側壁２１０に設けられており、筐体２００の内側に窪む形状を有する。投写面側凹部１６０Ａ及び投写面側凹部１６０Ｂは、筐体２００の端まで延びている。投写面側凹部１６０Ａ及び投写面側凹部１６０Ｂには、筐体２００の内側に連通する通気口が設けられる。
【００４０】
第１実施形態では、投写面側凹部１６０Ａ及び投写面側凹部１６０Ｂは、筐体２００の幅方向に沿って延びている。例えば、投写面側凹部１６０Ａには、筐体２００の外側の空気を筐体２００の内側に入れるための吸気口が通気口として設けられる。投写面側凹部１６０Ｂには、筐体２００の内側の空気を筐体２００の外側に出すための排気口が通気口として設けられる。
【００４１】
前面側凸部１７０は、前面側側壁２２０に設けられており、筐体２００の外側に張り出す形状を有する。前面側凸部１７０は、筐体２００の幅方向において、前面側側壁２２０の略中央に設けられる。筐体２００の内側において前面側凸部１７０によって形成される空間には、投写ユニット１５０に設けられた反射ミラー（図５に示す凹面ミラー１５２）が収容される。
【００４２】
天板凹部１８０は、天板２４０に設けられており、筐体２００の内側に窪む形状を有する。天板凹部１８０は、投写面３００側に向けて下る傾斜面１８１を有する。傾斜面１８１は、投写ユニット１５０から出射された光を投写面３００側に透過（投写）する透過領域を有する。
【００４３】
ケーブル端子１９０は、第１側面側側壁２５０に設けられており、電源端子や映像端子などの端子である。なお、ケーブル端子１９０は、第２側面側側壁２６０に設けられていてもよい。
【００４４】
（筐体の幅方向における各ユニットの配置）
以下において、第１実施形態に係る幅方向における各ユニットの配置について、図面を参照しながら説明する。図３は、第１実施形態に係る投写型映像表示装置１００を上方から見た図である。
【００４５】
図３に示すように、投写ユニット１５０は、投写面３００に平行な水平方向（筐体２００の幅方向）において、筐体２００の略中央に配置される。
【００４６】
光源ユニット１１０及び冷却ユニット１３０は、筐体２００の幅方向において、投写ユニット１５０と並んで配置される。具体的には、光源ユニット１１０は、筐体２００の幅方向において、投写ユニット１５０の一方（第２側面側側壁２６０側）に並んで配置される。冷却ユニット１３０は、筐体２００の幅方向において、投写ユニット１５０の他方（第１側面側側壁２５０側）に並んで配置される。
【００４７】
電源ユニット１２０は、筐体２００の幅方向において、投写ユニット１５０と並んで配置される。具体的には、電源ユニット１２０は、筐体２００の幅方向において、投写ユニット１５０に対して光源ユニット１１０側に並んで配置される。電源ユニット１２０は、投写ユニット１５０と光源ユニット１１０との間に配置されることが好ましい。
【００４８】
（光源ユニットの構成）
以下において、第１実施形態に係る光源ユニットの構成について、図面を参照しながら説明する。図４は、第１実施形態に係る光源ユニット１１０を示す図である。
【００４９】
図４に示すように、光源ユニット１１０は、複数の赤固体光源１１１Ｒ、複数の緑固体光源１１１Ｇ及び複数の青固体光源１１１Ｂによって構成される。
【００５０】
赤固体光源１１１Ｒは、上述したように、赤成分光Ｒを出射するＬＤなどの赤固体光源である。赤固体光源１１１Ｒは、ヘッド１１２Ｒを有しており、ヘッド１１２Ｒには、光ファイバー１１３Ｒが接続される。
【００５１】
各赤固体光源１１１Ｒのヘッド１１２Ｒに接続された光ファイバー１１３Ｒは、バンドル部１１４Ｒで束ねられる。すなわち、各赤固体光源１１１Ｒから出射された光は、各光ファイバー１１３Ｒによって伝達されて、バンドル部１１４Ｒに集められる。
【００５２】
赤固体光源１１１Ｒは、冷却ジャケット１３１Ｒに載置される。例えば、赤固体光源１１１Ｒは、ネジ止めなどによって冷却ジャケット１３１Ｒに固定される。赤固体光源１１１Ｒは、冷却ジャケット１３１Ｒによって冷却される。
【００５３】
緑固体光源１１１Ｇは、上述したように、緑成分光Ｇを出射するＬＤなどの緑固体光源である。緑固体光源１１１Ｇは、ヘッド１１２Ｇを有しており、ヘッド１１２Ｇには、光ファイバー１１３Ｇが接続される。
【００５４】
各緑固体光源１１１Ｇのヘッド１１２Ｇに接続された光ファイバー１１３Ｇは、バンドル部１１４Ｇで束ねられる。すなわち、各緑固体光源１１１Ｇから出射された光は、各光ファイバー１１３Ｇによって伝達されて、バンドル部１１４Ｇに集められる。
【００５５】
緑固体光源１１１Ｇは、冷却ジャケット１３１Ｇに載置される。例えば、緑固体光源１１１Ｇは、ネジ止めなどによって冷却ジャケット１３１Ｇに固定される。緑固体光源１１１Ｇは、冷却ジャケット１３１Ｇによって冷却される。
【００５６】
青固体光源１１１Ｂは、上述したように、青成分光Ｂを出射するＬＤなどの青固体光源である。青固体光源１１１Ｂは、ヘッド１１２Ｂを有しており、ヘッド１１２Ｂには、光ファイバー１１３Ｂが接続される。
【００５７】
各青固体光源１１１Ｂのヘッド１１２Ｂに接続された光ファイバー１１３Ｂは、バンドル部１１４Ｂで束ねられる。すなわち、各青固体光源１１１Ｂから出射された光は、各光ファイバー１１３Ｂによって伝達されて、バンドル部１１４Ｂに集められる。
【００５８】
青固体光源１１１Ｂは、冷却ジャケット１３１Ｂに載置される。例えば、青固体光源１１１Ｂは、ネジ止めなどによって冷却ジャケット１３１Ｂに固定される。青固体光源１１１Ｂは、冷却ジャケット１３１Ｂによって冷却される。
【００５９】
（色分離合成ユニット及び投写ユニットの構成）
以下において、第１実施形態に係る色分離合成ユニット及び投写ユニットの構成について、図面を参照しながら説明する。図５は、第１実施形態に係る色分離合成ユニット１４０及び投写ユニット１５０を示す図である。第１実施形態では、ＤＬＰ（Ｄｉｇｉｔａｌ  Ｌｉｇｈｔ  Ｐｒｏｃｅｓｓｉｎｇ）方式（登録商標）に対応する投写型映像表示装置１００を例示する。
【００６０】
図５に示すように、色分離合成ユニット１４０は、第１ユニット１４１と、第２ユニット１４２とを有する。
【００６１】
第１ユニット１４１は、赤成分光Ｒ、緑成分光Ｇ及び青成分光Ｂを合成して、赤成分光Ｒ、緑成分光Ｇ及び青成分光Ｂを含む合成光を第２ユニット１４２に出射する。
【００６２】
具体的には、第１ユニット１４１は、複数のロッドインテグレータ（ロッドインテグレータ１０Ｒ、ロッドインテグレータ１０Ｇ及びロッドインテグレータ１０Ｂ）と、レンズ群（レンズ２１Ｒ、レンズ２１Ｇ、レンズ２１Ｂ、レンズ２２、レンズ２３）と、ミラー群（ミラー３１、ミラー３２、ミラー３３、ミラー３４及びミラー３５）とを有する。
【００６３】
ロッドインテグレータ１０Ｒは、光入射面と、光出射面と、光入射面の外周から光出射面の外周に亘って設けられる光反射側面とを有する。ロッドインテグレータ１０Ｒは、バンドル部１１４Ｒで束ねられた光ファイバー１１３Ｒから出射される赤成分光Ｒを均一化する。すなわち、ロッドインテグレータ１０Ｒは、光反射側面で赤成分光Ｒを反射することによって、赤成分光Ｒを均一化する。
【００６４】
ロッドインテグレータ１０Ｇは、光入射面と、光出射面と、光入射面の外周から光出射面の外周に亘って設けられる光反射側面とを有する。ロッドインテグレータ１０Ｇは、バンドル部１１４Ｇで束ねられた光ファイバー１１３Ｇから出射される緑成分光Ｇを均一化する。すなわち、ロッドインテグレータ１０Ｇは、光反射側面で緑成分光Ｇを反射することによって、緑成分光Ｇを均一化する。
【００６５】
ロッドインテグレータ１０Ｂは、光入射面と、光出射面と、光入射面の外周から光出射面の外周に亘って設けられる光反射側面とを有する。ロッドインテグレータ１０Ｂは、バンドル部１１４Ｂで束ねられた光ファイバー１１３Ｂから出射される青成分光Ｂを均一化する。すなわち、ロッドインテグレータ１０Ｂは、光反射側面で青成分光Ｂを反射することによって、青成分光Ｂを均一化する。
【００６６】
なお、ロッドインテグレータ１０Ｒ、ロッドインテグレータ１０Ｇ及びロッドインテグレータ１０Ｂは、光反射側面がミラー面によって構成された中空ロッドであってもよい。また、ロッドインテグレータ１０Ｒ、ロッドインテグレータ１０Ｇ及びロッドインテグレータ１０Ｂは、ガラスなどによって構成された中実ロッドであってもよい。
【００６７】
ここで、ロッドインテグレータ１０Ｒ、ロッドインテグレータ１０Ｇ及びロッドインテグレータ１０Ｂは、投写面３００に略平行な水平方向（筐体２００の幅方向）に沿って延びる柱状形状を有する。すなわち、ロッドインテグレータ１０Ｒは、ロッドインテグレータ１０Ｒの長手方向が筐体２００の略幅方向に沿うように配置される。同様に、ロッドインテグレータ１０Ｇ及びロッドインテグレータ１０Ｂは、ロッドインテグレータ１０Ｇ及びロッドインテグレータ１０Ｂの長手方向が筐体２００の略幅方向に沿うように配置される。
【００６８】
レンズ２１Ｒは、赤成分光ＲがＤＭＤ５００Ｒに照射されるように、赤成分光Ｒを略平行光化するレンズである。レンズ２１Ｇは、緑成分光ＧがＤＭＤ５００Ｇに照射されるように、緑成分光Ｇを略平行光化するレンズである。レンズ２１Ｂは、青成分光ＢがＤＭＤ５００Ｂに照射されるように、青成分光Ｂを略平行光化するレンズである。
【００６９】
レンズ２２は、赤成分光Ｒ及び緑成分光Ｇの拡大を抑制しながら、ＤＭＤ５００Ｒ及びＤＭＤ５００Ｇ上に赤成分光Ｒ及び緑成分光Ｇを略結像するためのレンズである。レンズ２３は、青成分光Ｂの拡大を抑制しながら、青成分光ＢをＤＭＤ５００Ｂに略結像するためのレンズである。
【００７０】
ミラー３１は、ロッドインテグレータ１０Ｒから出射された赤成分光Ｒを反射する。ミラー３２は、ロッドインテグレータ１０Ｇから出射された緑成分光Ｇを反射して、赤成分光Ｒを透過するダイクロイックミラーである。ミラー３３は、ロッドインテグレータ１０Ｂから出射された青成分光Ｂを透過して、赤成分光Ｒ及び緑成分光Ｇを反射するダイクロイックミラーである。
【００７１】
ミラー３４は、赤成分光Ｒ、緑成分光Ｇ及び青成分光Ｂを反射する。ミラー３５は、赤成分光Ｒ、緑成分光Ｇ及び青成分光Ｂを第２ユニット１４２側に反射する。なお、図５では、説明を簡易にするために、各構成が平面図で示されているが、ミラー３５は、赤成分光Ｒ、緑成分光Ｇ及び青成分光Ｂを高さ方向において斜めに反射する。
【００７２】
第２ユニット１４２は、赤成分光Ｒ、緑成分光Ｇ及び青成分光Ｂを含む合成光を分離して、赤成分光Ｒ、緑成分光Ｇ及び青成分光Ｂを変調する。第２ユニット１４２は、続いて、赤成分光Ｒ、緑成分光Ｇ及び青成分光Ｂを再合成して、映像光を投写ユニット１５０側に出射する。
【００７３】
具体的には、第２ユニット１４２は、レンズ４０と、プリズム５０と、プリズム６０と、プリズム７０と、プリズム８０と、プリズム９０と、複数のＤＭＤ；Ｄｉｇｉｔａｌ  Ｍｉｃｒｏｍｉｒｒｏｒ  Ｄｅｖｉｃｅ（ＤＭＤ５００Ｒ、ＤＭＤ５００Ｇ及びＤＭＤ５００Ｂ）とを有する。
【００７４】
レンズ４０は、各色成分光が各ＤＭＤに照射されるように、第１ユニット１４１から出射された光を略平行光化するレンズである。
【００７５】
プリズム５０は、透光性部材によって構成されており、面５１及び面５２を有する。プリズム５０（面５１）とプリズム６０（面６１）との間にはエアギャップが設けられており、第１ユニット１４１から出射される光が面５１に入射する角度（入射角）が全反射角よりも大きいため、第１ユニット１４１から出射される光は面５１で反射される。一方で、プリズム５０（面５２）とプリズム７０（面７１）との間にはエアギャップが設けられるが、第１ユニット１４１から出射される光が面５２に入射する角度（入射角）が全反射角よりも小さいため、面５１で反射された光は面５２を透過する。
【００７６】
プリズム６０は、透光性部材によって構成されており、面６１を有する。
【００７７】
プリズム７０は、透光性部材によって構成されており、面７１及び面７２を有する。プリズム５０（面５２）とプリズム７０（面７１）との間にはエアギャップが設けられており、面７２で反射された青成分光Ｂ及びＤＭＤ５００Ｂから出射された青成分光Ｂが面７１に入射する角度（入射角）が全反射角よりも大きいため、面７２で反射された青成分光Ｂ及びＤＭＤ５００Ｂから出射された青成分光Ｂは面７１で反射される。
【００７８】
面７２は、赤成分光Ｒ及び緑成分光Ｇを透過して、青成分光Ｂを反射するダイクロイックミラー面である。従って、面５１で反射された光のうち、赤成分光Ｒ及び緑成分光Ｇは面７２を透過し、青成分光Ｂは面７２で反射される。面７１で反射された青成分光Ｂは面７２で反射される。
【００７９】
プリズム８０は、透光性部材によって構成されており、面８１及び面８２を有する。プリズム７０（面７２）とプリズム８０（面８１）との間にはエアギャップが設けられており、面８１を透過して面８２で反射された赤成分光Ｒ及びＤＭＤ５００Ｒから出射された赤成分光Ｒが再び面８１に入射する角度（入射角）が全反射角よりも大きいため、面８１を透過して面８２で反射された赤成分光Ｒ及びＤＭＤ５００Ｒから出射された赤成分光Ｒは面８１で反射される。一方で、ＤＭＤ５００Ｒから出射されて面８１で反射された後に面８２で反射された赤成分光Ｒが再び面８１に入射する角度（入射角）が全反射角よりも小さいため、ＤＭＤ５００Ｒから出射されて面８１で反射された後に面８２で反射された赤成分光Ｒは面８１を透過する。
【００８０】
面８２は、緑成分光Ｇを透過して、赤成分光Ｒを反射するダイクロイックミラー面である。従って、面８１を透過した光のうち、緑成分光Ｇは面８２を透過し、赤成分光Ｒは面８２で反射される。面８１で反射された赤成分光Ｒは面８２で反射される。ＤＭＤ５００Ｇから出射された緑成分光Ｇは面８２を透過する。
【００８１】
ここで、プリズム７０は、赤成分光Ｒ及び緑成分光Ｇを含む合成光と青成分光Ｂとを面７２によって分離する。プリズム８０は、赤成分光Ｒと緑成分光Ｇとを面８２によって分離する。すなわち、プリズム７０及びプリズム８０は、各色成分光を分離する色分離素子として機能する。
【００８２】
なお、第１実施形態では、プリズム７０の面７２のカットオフ波長は、緑色に相当する波長帯と青色に相当する波長帯との間に設けられる。プリズム８０の面８２のカットオフ波長は、赤色に相当する波長帯と緑色に相当する波長帯との間に設けられる。
【００８３】
一方で、プリズム７０は、赤成分光Ｒ及び緑成分光Ｇを含む合成光と青成分光Ｂとを面７２によって合成する。プリズム８０は、赤成分光Ｒと緑成分光Ｇとを面８２によって合成する。すなわち、プリズム７０及びプリズム８０は、各色成分光を合成する色合成素子として機能する。
【００８４】
プリズム９０は、透光性部材によって構成されており、面９１を有する。面９１は、緑成分光Ｇを透過するように構成されている。なお、ＤＭＤ５００Ｇへ入射する緑成分光Ｇ及びＤＭＤ５００Ｇから出射された緑成分光Ｇは面９１を透過する。
【００８５】
ＤＭＤ５００Ｒ、ＤＭＤ５００Ｇ及びＤＭＤ５００Ｂは、複数の微少ミラーによって構成されており、複数の微少ミラーは可動式である。各微少ミラーは、基本的に１画素に相当する。ＤＭＤ５００Ｒは、各微少ミラーの角度を変更することによって、投写ユニット１５０側に赤成分光Ｒを反射するか否かを切り替える。同様に、ＤＭＤ５００Ｇ及びＤＭＤ５００Ｂは、各微少ミラーの角度を変更することによって、投写ユニット１５０側に緑成分光Ｇ及び青成分光Ｂを反射するか否かを切り替える。
【００８６】
投写ユニット１５０は、投写レンズ群１５１と、凹面ミラー１５２とを有する。
【００８７】
投写レンズ群１５１は、色分離合成ユニット１４０から出射された光（映像光）を凹面ミラー１５２側に出射する。
【００８８】
凹面ミラー１５２は、投写レンズ群１５１から出射された光（映像光）を反射する。凹面ミラー１５２は、映像光を集光した上で、映像光を広角化する。例えば、凹面ミラー１５２は、投写レンズ群１５１側に凹面を有する非球面ミラーである。
【００８９】
凹面ミラー１５２で集光された映像光は、天板２４０に設けられた天板凹部１８０の傾斜面１８１に設けられた透過領域を透過する。傾斜面１８１に設けられた透過領域は、凹面ミラー１５２によって映像光が集光される位置近傍に設けられることが好ましい。
【００９０】
凹面ミラー１５２は、上述したように、前面側凸部１７０によって形成される空間に収容される。例えば、凹面ミラー１５２は、前面側凸部１７０の内側に固定されることが好ましい。また、前面側凸部１７０の内側面の形状は、凹面ミラー１５２に沿った形状であることが好ましい。
【００９１】
（作用及び効果）
第１実施形態では、光源ユニット１１０及び冷却ユニット１３０は、投写面３００に平行な水平方向（筐体２００の幅方向）において、投写ユニット１５０と並んで配置されるため、筐体２００の奥行きや高さが制約された状態で、各ユニットを筐体２００に収容することができる。
【００９２】
第１実施形態では、投写ユニット１５０は、投写面３００に平行な水平方向において、筐体２００の略中央に配置されるため、投写面３００に平行な水平方向において、筐体２００の幅が投写面３００の幅と略等しいケースにおいて、投写面３００上に映像をバランスよく投写することができる。また、台形補正等の信号処理負荷を軽減しながら、投写面３００上に投写される映像の歪みを抑制することができる。
【００９３】
第１実施形態では、電源ユニット１２０は、投写面３００に平行な水平方向（筐体２００の幅方向）において、投写ユニット１５０と並んで配置されるため、筐体２００の奥行きや高さが制約された状態で、各ユニットを筐体２００に収容することができる。
【００９４】
第１実施形態では、電源ユニット１２０は、投写面３００に平行な水平方向（筐体２００の幅方向）において、投写ユニット１５０に対して光源ユニット１１０側に配置されるため、電源ユニット１２０と光源ユニット１１０とを接続する電力線を短縮することができる。
【００９５】
［変更例１］
以下において、第１実施形態の変更例１について、図面を参照しながら説明する。以下においては、第１実施形態との相違点について主として説明する。
【００９６】
具体的には、第１実施形態では、電源ユニット１２０は、筐体２００の幅方向において、投写ユニット１５０に対して光源ユニット１１０側に並んで配置される。これに対して、変更例１では、電源ユニット１２０は、筐体２００の幅方向において、投写ユニット１５０に対して冷却ユニット１３０側に並んで配置される。
【００９７】
（筐体の幅方向における各ユニットの配置）
以下において、変更例１に係る幅方向における各ユニットの配置について、図面を参照しながら説明する。図６は、変更例１に係る投写型映像表示装置１００を上方から見た図である。
【００９８】
図６に示すように、投写ユニット１５０は、第１実施形態と同様に、投写面３００に平行な水平方向（筐体２００の幅方向）において、筐体２００の略中央に配置される。
【００９９】
光源ユニット１１０、電源ユニット１２０及び冷却ユニット１３０は、筐体２００の幅方向において、投写ユニット１５０と並んで配置される。
【０１００】
電源ユニット１２０は、筐体２００の幅方向において、投写ユニット１５０と並んで配置される。具体的には、電源ユニット１２０は、筐体２００の幅方向において、投写ユニット１５０に対して冷却ユニット１３０側に並んで配置される。電源ユニット１２０は、投写ユニット１５０と冷却ユニット１３０との間に配置されることが好ましい。
【０１０１】
［変更例２］
以下において、第１実施形態の変更例２について、図面を参照しながら説明する。以下においては、第１実施形態との相違点について主として説明する。
【０１０２】
具体的には、第１実施形態では、光源ユニット１１０は、１つのユニットによって構成されており、冷却ユニット１３０は、１つのユニットによって構成される。これに対して、変更例２では、光源ユニット１１０は、２つのユニットによって構成されており、冷却ユニット１３０は、２つのユニットによって構成される。
【０１０３】
（筐体の幅方向における各ユニットの配置）
以下において、変更例２に係る幅方向における各ユニットの配置について、図面を参照しながら説明する。図７は、変更例２に係る投写型映像表示装置１００を上方から見た図である。
【０１０４】
図７に示すように、光源ユニット１１０は、光源ユニット１１０Ａ及び光源ユニット１１０Ｂによって構成される。光源ユニット１１０Ａは、例えば、複数の赤固体光源１１１Ｒ及び複数の緑固体光源１１１Ｇによって構成される。光源ユニット１１０Ｂは、例えば、複数の青固体光源１１１Ｂによって構成される。
【０１０５】
冷却ユニット１３０は、冷却ユニット１３０Ａ及び冷却ユニット１３０Ｂによって構成される。冷却ユニット１３０Ａは、例えば、光源ユニット１１０Ａに設けられた固体光源１１１を冷却する。冷却ユニット１３０Ｂは、例えば、光源ユニット１１０Ｂに設けられた固体光源１１１を冷却する。
【０１０６】
図７に示すように、投写ユニット１５０は、第１実施形態と同様に、投写面３００に平行な水平方向（筐体２００の幅方向）において、筐体２００の略中央に配置される。
【０１０７】
光源ユニット１１０Ａ、光源ユニット１１０Ｂ、電源ユニット１２０、冷却ユニット１３０Ａ及び冷却ユニット１３０Ｂは、筐体２００の幅方向において、投写ユニット１５０と並んで配置される。
【０１０８】
具体的には、光源ユニット１１０Ａ及び冷却ユニット１３０Ａは、筐体２００の幅方向において、投写ユニット１５０に対して第１側面側側壁２５０側に並んで配置される。光源ユニット１１０Ｂ及び冷却ユニット１３０Ｂは、筐体２００の幅方向において、投写ユニット１５０に対して第２側面側側壁２６０側に並んで配置される。
【０１０９】
なお、電源ユニット１２０は、投写ユニット１５０に対して第２側面側側壁２６０側に並んで配置されるが、電源ユニット１２０の配置はこれに限定されるものではない。電源ユニット１２０は、第１側面側側壁２５０側に並んで配置されてもよい。
【０１１０】
［変更例３］
以下において、第１実施形態の変更例３について、図面を参照しながら説明する。以下においては、第１実施形態及び変更例２との相違点について主として説明する。
【０１１１】
具体的には、第１実施形態では、電源ユニット１２０は、１つのユニットによって構成される。これに対して、変更例３では、電源ユニット１２０は、２つのユニットによって構成される。
【０１１２】
（筐体の幅方向における各ユニットの配置）
以下において、変更例３に係る幅方向における各ユニットの配置について、図面を参照しながら説明する。図８は、変更例３に係る投写型映像表示装置１００を上方から見た図である。
【０１１３】
図８に示すように、電源ユニット１２０は、電源ユニット１２０Ａ及び電源ユニット１２０Ｂによって構成される。電源ユニット１２０Ａは、例えば、光源ユニット１１０Ａに設けられた固体光源１１１に電力を供給する。電源ユニット１２０Ｂは、例えば、光源ユニット１１０Ｂに設けられた固体光源１１１に電力を供給する。
【０１１４】
図８に示すように、投写ユニット１５０は、第１実施形態と同様に、投写面３００に平行な水平方向（筐体２００の幅方向）において、筐体２００の略中央に配置される。
【０１１５】
光源ユニット１１０Ａ、光源ユニット１１０Ｂ、電源ユニット１２０Ａ、電源ユニット１２０Ｂ、冷却ユニット１３０Ａ及び冷却ユニット１３０Ｂは、筐体２００の幅方向において、投写ユニット１５０と並んで配置される。
【０１１６】
具体的には、光源ユニット１１０Ａ、電源ユニット１２０Ａ及び冷却ユニット１３０Ａは、筐体２００の幅方向において、投写ユニット１５０に対して第１側面側側壁２５０側に並んで配置される。光源ユニット１１０Ｂ、電源ユニット１２０Ｂ及び冷却ユニット１３０Ｂは、筐体２００の幅方向において、投写ユニット１５０に対して第２側面側側壁２６０側に並んで配置される。
【０１１７】
［第２実施形態］
以下において、第２実施形態について、図面を参照しながら説明する。以下においては、第１実施形態との相違点について主として説明する。
【０１１８】
具体的には、第１実施形態では、投写型映像表示装置１００が壁面に設けられた投写面３００に映像光を投写するケースについて例示した。これに対して、第２実施形態では、投写型映像表示装置１００が床面に設けられた投写面３００に映像光を投写するケースについて例示する（床面投写）。このようなケースにおける筐体２００の配置を床面投写配置と称する。
【０１１９】
（投写型映像表示装置の構成）
以下において、第２実施形態に係る投写型映像表示装置の構成について、図面を参照しながら説明する。図９は、第２実施形態に係る投写型映像表示装置１００を側方から見た図である。
【０１２０】
図９に示すように、投写型映像表示装置１００は、床面に設けられた投写面３００に映像光を投写する（床面投写）。第２実施形態では、投写面３００と略平行な第１配置面は床面４１０である。第１配置面に略垂直な第２配置面は壁面４２０である。
【０１２１】
第２実施形態では、投写面３００に平行な水平方向を“幅方向”と称する。投写面３００の法線方向を“高さ方向”と称する。幅方向及び高さ方向の双方に直交する方向を“奥行き方向”と称する。
【０１２２】
第２実施形態では、筐体２００は、第１実施形態と同様に、略直方体形状を有する。奥行き方向における筐体２００のサイズ及び高さ方向における筐体２００のサイズは、幅方向における筐体２００のサイズよりも小さい。高さ方向における筐体２００のサイズは、反射ミラー（図２に示す凹面ミラー１５２）から投写面３００までの投写距離と略等しい。幅方向において、筐体２００のサイズは、投写面３００のサイズと略等しい。奥行き方向において、筐体２００のサイズは、壁面４２０から投写面３００までの距離に応じて定められる。
【０１２３】
投写面側側壁２１０は、投写面３００と略平行な第１配置面（第２実施形態では、床面４１０）と対向する板状の部材である。前面側側壁２２０は、投写面側側壁２１０の反対側に設けられた板状の部材である。天板２４０は、底面板２３０の反対側に設けられた板状の部材である。底面板２３０は、投写面３００と略平行な第１配置面以外の第２配置面（第２実施形態では、壁面４２０）と対向する板状の部材である。第１側面側側壁２５０及び第２側面側側壁２６０は、幅方向において筐体２００の両端を形成する板状の部材である。
【０１２４】
［第３実施形態］
以下において、第３実施形態について、図面を参照しながら説明する。以下においては、第１実施形態との相違点について主として説明する。
【０１２５】
具体的には、第３実施形態では、光源ユニット１１０、電源ユニット１２０、冷却ユニット１３０の構成及び配置が異なっている。ここでは、図１０〜図１６を参照しながら、第１配置例〜第７配置例について例示する。
【０１２６】
（第１配置例）
図１０に示すように、第１配置例では、図３に示す配置例と比べて、筐体２００の幅方向において、光源ユニット１１０、電源ユニット１２０、冷却ユニット１３０の配置が投写ユニット１５０に対して逆転している。
【０１２７】
（第２配置例）
図１１に示すように、第２配置例では、図８に示す配置例と比べて、筐体２００の幅方向において、光源ユニット１１０Ｂ及び電源ユニット１２０Ｂの配置が異なっている。具体的には、電源ユニット１２０Ｂは、投写面３００の法線方向（奥行き方向）において、光源ユニット１１０Ｂよりも前面側側壁２２０側に設けられる。言い換えると、光源ユニット１１０Ｂは、投写面３００の法線方向（奥行き方向）において、電源ユニット１２０Ｂよりも投写面側側壁２１０側（投写面３００側）に設けられる。
【０１２８】
第２配置例によれば、電源ユニット１２０Ｂが光源ユニット１１０Ｂからの光を遮光する。従って、前面側側壁２２０側からの漏れ光を低減することができる。
【０１２９】
（第３配置例）
図１２に示すように、第３配置例では、図１０に示す第１配置例と比べて、筐体２００の幅方向において、投写ユニット１５０に対して電源ユニット１２０の配置が逆転している。すなわち、電源ユニット１２０は、筐体２００の幅方向において、投写ユニット１５０に対して冷却ユニット１３０側に設けられる。
【０１３０】
第３配置例によれば、筐体２００の幅方向において、電源ユニット１２０が投写ユニット１５０よりも冷却ユニット１３０側に設けられる。従って、冷却ユニット１３０を容易に分離することができる。
【０１３１】
（第４配置例）
図１３に示すように、第４配置例では、冷却ユニット１３０は、投写面３００の法線方向（奥行き方向）において、光源ユニット１１０及び電源ユニット１２０よりも前面側側壁２２０側に設けられる。言い換えると、光源ユニット１１０及び電源ユニット１２０は、投写面３００の法線方向（奥行き方向）において、冷却ユニット１３０よりも投写面側側壁２１０側（投写面３００側）側に設けられる。
【０１３２】
第４変更例によれば、冷却ユニット１３０が光源ユニット１１０からの光を遮光する。従って、前面側側壁２２０からの漏れ光を低減することができる。
【０１３３】
また、前面側側壁２２０からの漏れ光が低減されるため、前面側側壁２２０に通気口を設けることができる。すなわち、通気口の配置位置の制約が減少するため、通気口を効果的に配置することができる。例えば、排気口（又は、吸気口）を前面側側壁２２０に配置し、吸気口（又は、排気口）を投写面側側壁２１０や天板２４０に配置することができる。
【０１３４】
（第５配置例）
図１４に示すように、第５配置例では、冷却ユニット１３０は、投写面３００の法線方向（奥行き方向）において、光源ユニット１１０及び電源ユニット１２０よりも前面側側壁２２０側に設けられる。言い換えると、光源ユニット１１０及び電源ユニット１２０は、投写面３００の法線方向（奥行き方向）において、冷却ユニット１３０よりも投写面側側壁２１０側（投写面３００側）側に設けられる。また、冷却ユニット１３０は、投写ユニット１５０の第１側面側側壁２５０側に回り込むようにＬ字型の形状を有する。
【０１３５】
さらに、光源ユニット１１０及び電源ユニット１２０は、投写ユニット１５０よりも第２側面側側壁２６０側に設けられる。
【０１３６】
第５変更例によれば、冷却ユニット１３０が光源ユニット１１０からの光を遮光する。従って、前面側側壁２２０及び第１側面側側壁２５０からの漏れ光を低減することができる。
【０１３７】
また、前面側側壁２２０及び第１側面側側壁２５０からの漏れ光が低減されるため、前面側側壁２２０又は第１側面側側壁２５０に通気口を設けることができる。すなわち、通気口の配置位置の制約が減少するため、通気口を効果的に配置することができる。例えば、排気口（又は、吸気口）を前面側側壁２２０又は第１側面側側壁２５０に配置し、吸気口（又は、排気口）を投写面側側壁２１０や天板２４０に配置することができる。
【０１３８】
（第６配置例）
図１５に示すように、第６配置例では、冷却ユニット１３０は、投写面３００の法線方向（奥行き方向）において、光源ユニット１１０及び電源ユニット１２０よりも前面側側壁２２０側に設けられる。言い換えると、光源ユニット１１０及び電源ユニット１２０は、投写面３００の法線方向（奥行き方向）において、冷却ユニット１３０よりも投写面側側壁２１０側（投写面３００側）に設けられる。
【０１３９】
光源ユニット１１０は、光源ユニット１１０Ａ及び光源ユニット１１０Ｂによって構成される。光源ユニット１１０Ａは、例えば、複数の赤固体光源１１１Ｒ及び複数の緑固体光源１１１Ｇによって構成される。光源ユニット１１０Ｂは、例えば、複数の青固体光源１１１Ｂによって構成される。
【０１４０】
電源ユニット１２０は、電源ユニット１２０Ａ及び電源ユニット１２０Ｂによって構成される。電源ユニット１２０Ａは、例えば、光源ユニット１１０Ａに設けられた固体光源１１１に電力を供給する。電源ユニット１２０Ｂは、例えば、光源ユニット１１０Ｂに設けられた固体光源１１１に電力を供給する。
【０１４１】
ここで、電源ユニット１２０Ａは、投写面３００の法線方向（奥行き方向）において、光源ユニット１１０Ａよりも前面側側壁２２０側に設けられる。言い換えると、光源ユニット１１０Ａは、投写面３００の法線方向（奥行き方向）において、電源ユニット１２０Ａよりも投写面側側壁２１０側（投写面３００側）に設けられる。
【０１４２】
また、電源ユニット１２０Ｂは、投写面３００の法線方向（奥行き方向）において、光源ユニット１１０Ｂよりも第２側面側側壁２６０側に設けられる。
【０１４３】
第６変更例によれば、冷却ユニット１３０が光源ユニット１１０からの光を遮光する。従って、前面側側壁２２０からの漏れ光を低減することができる。
【０１４４】
また、前面側側壁２２０からの漏れ光が低減されるため、前面側側壁２２０に通気口を設けることができる。すなわち、通気口の配置位置の制約が減少するため、通気口を効果的に配置することができる。例えば、排気口（又は、吸気口）を前面側側壁２２０に配置し、吸気口（又は、排気口）を投写面側側壁２１０や天板２４０に配置することができる。
【０１４５】
第６変更例によれば、光源ユニット１１０が２つのユニットによって構成され、電源ユニット１２０が２つのユニットによって構成される。従って、光源ユニット１１０及び電源ユニット１２０のメンテナンス性が向上する。
【０１４６】
（第７配置例）
図１６に示すように、第７配置例では、電源ユニット１２０は、電源ユニット１２０Ａ及び電源ユニット１２０Ｂによって構成される。電源ユニット１２０Ａ及び電源ユニット１２０Ｂは、光源ユニット１１０に設けられた固体光源１１１に電力を供給する。
【０１４７】
冷却ユニット１３０は、投写面３００の法線方向（奥行き方向）において、光源ユニット１１０及び電源ユニット１２０Ａよりも前面側側壁２２０側に設けられる。言い換えると、光源ユニット１１０及び電源ユニット１２０Ａは、投写面３００の法線方向（奥行き方向）において、冷却ユニット１３０よりも投写面側側壁２１０側（投写面３００側）に設けられる。
【０１４８】
電源ユニット１２０Ｂは、光源ユニット１１０よりも第１側面側側壁２５０側に設けられる。
【０１４９】
第７変更例によれば、冷却ユニット１３０が光源ユニット１１０からの光を遮光する。従って、前面側側壁２２０からの漏れ光を低減することができる。また、電源ユニット１２０Ｂが光源ユニット１１０からの光を遮光する。従って、第１側面側側壁２５０からの漏れ光を低減することができる。
【０１５０】
また、前面側側壁２２０及び第１側面側側壁２５０からの漏れ光が低減されるため、前面側側壁２２０又は第１側面側側壁２５０に通気口を設けることができる。すなわち、通気口の配置位置の制約が減少するため、通気口を効果的に配置することができる。例えば、排気口（又は、吸気口）を前面側側壁２２０又は第１側面側側壁２５０に配置し、吸気口（又は、排気口）を投写面側側壁２１０や天板２４０に配置することができる。
【０１５１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１５２】
第１実施形態では、筐体２００が配置される壁面４２０上に投写面３００が設けられるが、実施形態はこれに限定されるものではない。投写面３００は、筐体２００から離れる方向において、壁面４２０よりも奥まった位置に設けられてもよい。
【０１５３】
第２実施形態では、筐体２００が配置される床面４１０上に投写面３００が設けられるが、実施形態はこれに限定されるものではない。投写面３００は、床面４１０よりも低い位置に設けられてもよい。
【０１５４】
第１実施形態、変更例１〜第２実施形態では、各ユニットの配置を例示したに過ぎない。また、筐体２００の幅方向において筐体２００の略中央に投写ユニット１５０が配置されていれば、各ユニット（光源ユニット１１０、電源ユニット１２０及び冷却ユニット１３０）の配置は自由である。なお、奥行き方向における筐体２００のサイズ及び高さ方向における筐体２００のサイズは、幅方向における筐体２００のサイズよりも小さいことに留意すべきである。
【０１５５】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、透過型の液晶パネルであってもよく、反射型の液晶パネルであってもよい。
【符号の説明】
【０１５６】
１０…ロッドインテグレータ、２１〜２３…レンズ、３１〜３５…ミラー、４０…レンズ、５０…プリズム、６０…プリズム、７０…プリズム、８０…プリズム、９０…プリズム、１００…投写型映像表示装置、１１０…光源ユニット、１１１…固体光源、１１２…ヘッド、１１３…光ファイバー、１１４…バンドル部、１２０…電源ユニット、１３０…冷却ユニット、１３１…冷却ジャケット、１４０…色分離合成ユニット、１４１…第１ユニット、１４２…第２ユニット、１５０…投写ユニット、１５１…投写レンズ群、１５２…凹面ミラー、１６０…投写面側凹部、、１７０…前面側凸部、１８０…天板凹部、１８１…傾斜面、１９０…ケーブル端子、２００…筐体、２１０…投写面側側壁、２２０…前面側側壁、２３０…底面板、２４０…天板、２５０…第１側面側側壁、２６０…第２側面側側壁、３００…投写面、４１０…床面、４２０…壁面、５００…ＤＭＤ
【図１】
2010250274.tif 000003
【図２】
2010250274.tif 000004
【図３】
2010250274.tif 000005
【図４】
2010250274.tif 000006
【図５】
2010250274.tif 000007
【図６】
2010250274.tif 000008
【図７】
2010250274.tif 000009
【図８】
2010250274.tif 000010
【図９】
2010250274.tif 000011
【図１０】
2010250274.tif 000012
【図１１】
2010250274.tif 000013
【図１２】
2010250274.tif 000014
【図１３】
2010250274.tif 000015
【図１４】
2010250274.tif 000016
【図１５】
2010250274.tif 000017
【図１６】
2010250274.tif 000018